(57)【要約】【課題】  簡易な構成によって、秘匿性に優れた相互認証が可能な無線伝送装置、相互認証方法および相互認証プログラムを提供する。【解決手段】  ユーザは、リモコン２０を用いて無線伝送を行なう複数の無線伝送機器１０に対して共通の認証コードを入力する。リモコン送受信部１は、リモコン２０から受信した赤外線信号を電気信号に変換し、電気信号から認証コードを抽出する。認証コードは不揮発性記憶領域８内の認証コード記録領域８０に記録される。認証通信モードにおいて、無線部３は、認証コードを鍵として無線部ＭＡＣアドレスを暗号化して送信する。無線部３はさらに、伝送相手の無線伝送機器１０から応答された無線部ＭＡＣアドレスを認証コードを鍵として復号化する。無線伝送機器１０は、伝送相手の無線部ＭＡＣアドレスを取得して、認証モードを終了する。【選択図】        図１
2005318527.tif 000002
【特許請求の範囲】
【請求項１】
データ信号を無線伝送する無線伝送装置であって、
無線伝送を行なう前記無線伝送装置間で伝送相手を互いに認証する相互認証手段と、
認証した前記無線伝送装置との間で前記データ信号の無線伝送を行なう無線伝送手段とを備え、
前記相互認証手段は、
リモコンから出射された赤外線信号を受信して電気信号に変換し、前記電気信号から無線伝送を行なう前記無線伝送装置間に共通する認証コードを抽出するリモコン信号受信手段と、
前記認証コードを不揮発的に記録する認証コード記録手段と、
前記認証コードを鍵として、前記無線伝送装置に固有な識別情報を暗号化する暗号化手段と、
暗号化した前記無線伝送装置に固有な識別情報を送信する識別情報送信手段と、
受信した前記伝送相手の無線伝送装置に固有な識別情報を前記認証コードを鍵として復号化し、前記伝送相手の無線伝送装置に固有な識別情報を取得する認証手段とを含む、無線伝送装置。
【請求項２】
前記リモコン信号受信手段は、ユーザが前記リモコンに入力した任意の文字列を指示する前記赤外線信号を受信して前記電気信号に変換し、前記任意の文字列を抽出して前記認証コードとする、請求項１に記載の無線伝送装置。
【請求項３】
前記リモコン信号受信手段は、前記リモコンから出射された前記赤外線信号を受信して前記電気信号に変換し、前記電気信号からリモコン信号波形を抽出して前記認証コードとする、請求項１に記載の無線伝送装置。
【請求項４】
無線伝送を行なう第１の無線伝送装置と第２の無線伝送装置との間で伝送相手を互いに認証する相互認証方法であって、
前記第１および第２の無線伝送装置の各々において、リモコンから出射された赤外線信号を受信して電気信号に変換し、前記電気信号から無線伝送を行なう前記無線伝送装置間に共通する認証コードを抽出するステップと、
前記認証コードを前記第１および第２の無線伝送装置にそれぞれ不揮発的に記録するステップと、
前記第１の無線伝送装置において、前記認証コードを鍵として前記第１の無線伝送装置に固有な識別情報を暗号化して送信するステップと、
前記第２の無線伝送装置において、受信した前記第１の無線伝送装置に固有な識別情報を前記認証コードを鍵として復号化し、前記第１の無線伝送装置に固有な識別情報を取得するステップと、
前記第２の無線伝送装置において、前記認証コードを鍵として前記第２の無線伝送装置に固有な識別情報を暗号化し、前記第１の無線伝送装置に固有な識別情報をアドレス指定して送信するステップと、
前記第１の無線伝送装置において、受信した前記第２の無線伝送装置に固有な識別情報を前記認証コードを鍵として復号化し、前記第２の無線伝送装置に固有な識別情報を取得するステップとを備える、相互認証方法。
【請求項５】
前記認証コードを抽出するステップは、
ユーザが前記リモコンに前記第１および第２の無線伝送装置に共通する任意の文字列を入力するステップと、
前記第１および第２の無線伝送装置において、前記リモコンから照射される前記任意の文字列を指示する赤外線信号を受信して前記電気信号に変換し、前記任意の文字列を抽出して前記認証コードとするステップとを含む、請求項４に記載の相互認証方法。
【請求項６】
前記認証コードを抽出するステップは、
ユーザが、前記第１および第２の無線伝送装置に共通する前記リモコンに、前記第１および第２の無線伝送装置に共通する任意かつ単一のキーを入力するステップと、
前記第１および第２の無線伝送装置において、前記リモコンから出射された前記赤外線信号を受信して前記電気信号に変換し、前記電気信号からリモコン信号波形を抽出して前記認証コードとするステップとを含む、請求項４に記載の相互認証方法。
【請求項７】
無線伝送を行なう第１の無線伝送装置と第２の無線伝送装置との間で伝送相手を互いに認証する相互認証プログラムであって、コンピューターに、
前記第１および第２の無線伝送装置の各々において、リモコンから出射された赤外線信号を受信して電気信号に変換し、前記電気信号から無線伝送を行なう前記無線伝送装置間に共通する認証コードを抽出するステップと、
前記認証コードを前記第１および第２の無線伝送装置にそれぞれ不揮発的に記録するステップと、
前記第１の無線伝送装置において、前記認証コードを鍵として前記第１の無線伝送装置に固有な識別情報を暗号化して送信するステップと、
前記第２の無線伝送装置において、受信した前記第１の無線伝送装置に固有な識別情報を前記認証コードを鍵として復号化し、前記第１の無線伝送装置に固有な識別情報を取得するステップと、
前記第２の無線伝送装置において、前記認証コードを鍵として前記第２の無線伝送装置に固有な識別情報を暗号化し、前記第１の無線伝送装置に固有な識別情報をアドレス指定して送信するステップと、
前記第１の無線伝送装置において、受信した前記第２の無線伝送装置に固有な識別情報を前記認証コードを鍵として復号化し、前記第２の無線伝送装置に固有な識別情報を取得するステップとを実行させる、相互認証プログラム。
【請求項８】
前記認証コードを抽出するステップは、
ユーザが前記リモコンに前記第１および第２の無線伝送装置に共通する任意の文字列を入力するステップと、
前記第１および第２の無線伝送装置において、前記リモコンから照射される前記任意の文字列を指示する赤外線信号を受信して前記電気信号に変換し、前記任意の文字列を抽出して前記認証コードとするステップとを含む、請求項７に記載の相互認証プログラム。
【請求項９】
前記認証コードを抽出するステップは、
ユーザが、前記第１および第２の無線伝送装置に共通する前記リモコンに、前記第１および第２の無線伝送装置に共通する任意かつ単一のキーを入力するステップと、
前記第１および第２の無線伝送装置において、前記リモコンから出射された前記赤外線信号を受信して前記電気信号に変換し、前記電気信号からリモコン信号波形を抽出して前記認証コードとするステップとを含む、請求項７に記載の相互認証プログラム。
【発明の詳細な説明】
【技術分野】
【０００１】
この発明は、無線伝送装置、相互認証方法および相互認証プログラムに関し、より特定的には、データ信号を無線伝送する際に相互認証を行なう無線伝送装置、このような無線伝送装置で行なわれる相互認証方法および相互認証プログラムに関する。
【背景技術】
【０００２】
近年、ホームネットワーク分野が大きく注目されており、無線ホームネットワークの確立のための技術開発が盛んに行なわれている。その一例として、家庭内やオフィス内などの限られた範囲の空間において、家電製品やコンピュータなどを無線で結合する無線伝送機器が開発されている。無線伝送機器としては、たとえば、映像信号および音声信号（以下、ＡＶデータとも称する）を再生する、ビデオテープレコーダーやＤＶＤ（Digital Versatile Disc）プレーヤーなどのＡＶデータ再生装置と、テレビやプロジェクターなどのＡＶデータ表示装置との間を無線で結合する無線伝送機器がある。
【０００３】
図１３は、無線伝送機器の使用形態の一例を説明するための概略図である。
【０００４】
図１３を参照して、家庭５０の各階には、ＡＶデータ表示装置４０ａ〜４０ｃ（たとえばテレビとする）が設置される。また、１階には、ＡＶデータ表示装置４０ａに接続されてＡＶデータ再生装置３０ａ（たとえばビデオテープレコーダーとする）が設置される。ＡＶデータ再生装置３０ａおよびＡＶデータ表示装置４０ｂ，４０ｃには、それぞれ無線伝送機器６０ａ〜６０ｃが接続される。
【０００５】
このような構成において、通常の通信モード時には、１階に設けられたＡＶデータ再生装置３０ａにおいて再生されたＡＶデータは、ＡＶデータ表示装置４０ａに有線伝送されるとともに、無線伝送機器６０ａによって無線信号に変換されて、２階および３階に設置される無線伝送機器６０ｂ，６０ｃにそれぞれ伝送される。
【０００６】
さらに、伝送された無線信号は、無線伝送機器６０ｂ，６０ｃによって受信されると、元のＡＶデータに変換されてＡＶデータ表示装置４０ｂ，４０ｃからそれぞれ出力される。
【０００７】
ここで、図１３のように、ユーザの所望するＡＶデータ信号再生装置とＡＶデータ表示装置とを正確に結合するためには、それぞれに配された無線伝送機器の間で、無線伝送に先立って相互認証を行なうことが必要となる。なぜなら、ＡＶデータは無線伝送されることから、有線伝送とは異なり、不特定多数の無線伝送機器、たとえば他の家庭内の無線伝送機器においても受信され得るからである。
【０００８】
この相互認証動作については、ＰＣ（Personal Computer）などの端末装置間のデータ伝送等に採用されている無線ＬＡＮ（Local Area Network）の技術分野において、従来から開発されており、その一例が特許文献１に記載される。
【０００９】
図１４は、特許文献１に記載の相互認証方式を説明するための構成図である。
【００１０】
図１４を参照して、ＩＣカード装置などの情報担体１００とセンター管理の情報処理装置１１０とは、情報通信を行なうにあたり、互いに相手を確認し合う相互認証を実行する。
【００１１】
詳細には、最初に、情報担体１００は、第１の記憶手段１０１に予め格納される固有データＩＤを第１の伝送手段１０８を用いて、通信相手となる情報処理装置１１０に送信する。なお、固有データＩＤは、個々の情報担体に固有のデータであり、情報処理装置１１０において管理されている。
【００１２】
情報処理装置１１０は、受信した固有データＩＤと第３の記憶手段１１１に格納されるセンター鍵とから、データ処理手段１１２によって個々の情報担体に固有のマスター鍵ｋｍを生成する。すなわち、１つの固有データＩＤに対応して、１つのマスター鍵ｋｍが生成される。このマスター鍵ｋｍは、情報担体１００の第２の記憶手段１０２に予め格納される。
【００１３】
情報処理装置１１０は、さらに、鍵生成手段１１６により、ランダムにセッション鍵ｋｓを作成する。第２の暗号化手段１１３は、セッション鍵ｋｓをデータ処理手段１１１２から得たマスター鍵ｋｍで暗号化する。暗号化されたデータＥｋｍ［ｋｓ］は、第２の伝送手段１１８により情報担体１００に伝送される。
【００１４】
次に、情報担体１００は、暗号化されたデータＥｋｍ［ｋｓ］を受信すると、第１の復号化手段１０３において、第２の記憶手段１０２に記憶されるマスター鍵ｋｍを用いて復号化する。
【００１５】
さらに、復号化されたデータであるセッション鍵ｋｓは、第１の暗号化手段１０５に転送される。第１の暗号化手段１０５は、このセッション鍵ｋｓを鍵として、結合手段１０４からの結合データを暗号化する。暗号化された結合データＥｋｓ［Ｒ‖ＩＤ］は、第１の伝送手段１０８を通して情報処理装置１１０に伝送される。ここで、結合データＥｋｓ［Ｒ‖ＩＤ］は、第１の記憶手段１０１に格納される固有データＩＤと、乱数生成手段１０６により生成された乱数Ｒとをシーケンシャルに繋ぎ合わせたものである。
【００１６】
情報処理装置１１０は、第２の復号化手段１１５において、結合データＥｋｓ［Ｒ‖ＩＤ］をセッション鍵ｋｓを用いて復号化する。復号化されたデータＲ‖ＩＤは、分離手段１１４によって、乱数Ｒ’と固有データＩＤ’とに分離される。
【００１７】
第２の比較手段１１７は、固有データＩＤ’と最初に受信した固有データＩＤとを比較し、情報担体１００を認証する。このとき、両データが一致しなければ、何らかの不正があったものとして情報担体１００を拒否する。
【００１８】
情報担体１００では、第１の比較手段１０７において、受信した乱数Ｒ’と乱数生成手段１０６において生成した乱数Ｒとを比較し、情報処理装置１１０を認証する。このとき、両者が一致しなければ、何らかの不正があったものとして情報処理装置１１０を拒否する。
【００１９】
以上の動作によって、互いに相手が認証されることによってはじめて、両者の間で情報通信が可能となる。その後の通信は、セッション鍵ｋｓを用いて行なわれる。
【特許文献１】特公平６−８７２３４号公報
【発明の開示】
【発明が解決しようとする課題】
【００２０】
従来の相互認証方式は、情報処理装置においてマスター鍵およびセッション鍵を生成し、これらの鍵を用いて暗号化した情報を情報担体との間でやり取りすることから、高いセキュリティを保持することができる。
【００２１】
しかしながら、個々の装置においては、複雑な暗号化方式を用いて複雑かつ高度な処理を行なわなければならず、今後急速な普及が見込まれる無線ホームネットワークへの適用を困難なものとしていた。
【００２２】
したがって、無線伝送機器の汎用性を高めるためには、簡易な相互認証方法であって、なおも高いセキュリティが保証されることが必要となる。
【００２３】
それゆえ、この発明の目的は、簡易な構成によって、秘匿性に優れた相互認証が可能な無線伝送装置、相互認証方法および相互認証プログラムを提供することである。
【課題を解決するための手段】
【００２４】
この発明のある局面によれば、データ信号を無線伝送する無線伝送装置であって、無線伝送を行なう無線伝送装置間で伝送相手を互いに認証する相互認証手段と、認証した無線伝送装置との間でデータ信号の無線伝送を行なう無線伝送手段とを備える。相互認証手段は、リモコンから出射された赤外線信号を受信して電気信号に変換し、電気信号から無線伝送を行なう無線伝送装置間に共通する認証コードを抽出するリモコン信号受信手段と、認証コードを不揮発的に記録する認証コード記録手段と、認証コードを鍵として、無線伝送装置に固有な識別情報を暗号化する暗号化手段と、暗号化した無線伝送装置に固有な識別情報を送信する識別情報送信手段と、受信した伝送相手の無線伝送装置に固有な識別情報を認証コードを鍵として復号化し、伝送相手の無線伝送装置に固有な識別情報を取得する認証手段とを含む。
【００２５】
好ましくは、リモコン信号受信手段は、ユーザがリモコンに入力した任意の文字列を指示する赤外線信号を受信して電気信号に変換し、任意の文字列を抽出して認証コードとする。
【００２６】
好ましくは、リモコン信号受信手段は、リモコンから出射された赤外線信号を受信して電気信号に変換し、電気信号からリモコン信号波形を抽出して認証コードとする。
【００２７】
この発明の別の局面によれば、無線伝送を行なう第１の無線伝送装置と第２の無線伝送装置との間で伝送相手を互いに認証する相互認証方法であって、第１および第２の無線伝送装置の各々において、リモコンから出射された赤外線信号を受信して電気信号に変換し、電気信号から無線伝送を行なう無線伝送装置間に共通する認証コードを抽出するステップと、認証コードを第１および第２の無線伝送装置にそれぞれ不揮発的に記録するステップと、第１の無線伝送装置において、認証コードを鍵として第１の無線伝送装置に固有な識別情報を暗号化して送信するステップと、第２の無線伝送装置において、受信した第１の無線伝送装置に固有な識別情報を認証コードを鍵として復号化し、第１の無線伝送装置に固有な識別情報を取得するステップと、第２の無線伝送装置において、認証コードを鍵として第２の無線伝送装置に固有な識別情報を暗号化し、第１の無線伝送装置に固有な識別情報をアドレス指定して送信するステップと、第１の無線伝送装置において、受信した第２の無線伝送装置に固有な識別情報を認証コードを鍵として復号化し、第２の無線伝送装置に固有な識別情報を取得するステップとを備える。
【００２８】
好ましくは、認証コードを抽出するステップは、ユーザがリモコンに第１および第２の無線伝送装置に共通する任意の文字列を入力するステップと、第１および第２の無線伝送装置において、リモコンから照射される任意の文字列を指示する赤外線信号を受信して電気信号に変換し、任意の文字列を抽出して認証コードとするステップとを含む。
【００２９】
好ましくは、認証コードを抽出するステップは、ユーザが、第１および第２の無線伝送装置に共通するリモコンに、第１および第２の無線伝送装置に共通する任意かつ単一のキーを入力するステップと、第１および第２の無線伝送装置において、リモコンから出射された赤外線信号を受信して電気信号に変換し、電気信号からリモコン信号波形を抽出して認証コードとするステップとを含む。
【００３０】
この発明の別の局面によれば、無線伝送を行なう第１の無線伝送装置と第２の無線伝送装置との間で伝送相手を互いに認証する相互認証プログラムであって、コンピュータに、第１および第２の無線伝送装置の各々において、リモコンから出射された赤外線信号を受信して電気信号に変換し、電気信号から無線伝送を行なう無線伝送装置間に共通する認証コードを抽出するステップと、認証コードを第１および第２の無線伝送装置にそれぞれ不揮発的に記録するステップと、第１の無線伝送装置において、認証コードを鍵として第１の無線伝送装置に固有な識別情報を暗号化して送信するステップと、第２の無線伝送装置において、受信した第１の無線伝送装置に固有な識別情報を認証コードを鍵として復号化し、第１の無線伝送装置に固有な識別情報を取得するステップと、第２の無線伝送装置において、認証コードを鍵として第２の無線伝送装置に固有な識別情報を暗号化し、第１の無線伝送装置に固有な識別情報をアドレス指定して送信するステップと、第１の無線伝送装置において、受信した第２の無線伝送装置に固有な識別情報を認証コードを鍵として復号化し、第２の無線伝送装置に固有な識別情報を取得するステップとを実行させる。
【００３１】
好ましくは、認証コードを抽出するステップは、ユーザがリモコンに第１および第２の無線伝送装置に共通する任意の文字列を入力するステップと、第１および第２の無線伝送装置において、リモコンから照射される任意の文字列を指示する赤外線信号を受信して電気信号に変換し、任意の文字列を抽出して認証コードとするステップとを含む。
【００３２】
好ましくは、認証コードを抽出するステップは、ユーザが、第１および第２の無線伝送装置に共通するリモコンに、第１および第２の無線伝送装置に共通する任意かつ単一のキーを入力するステップと、第１および第２の無線伝送装置において、リモコンから出射された赤外線信号を受信して電気信号に変換し、電気信号からリモコン信号波形を抽出して認証コードとするステップとを含む。
【発明の効果】
【００３３】
この発明のある局面によれば、簡易な構成により、相互認証時の他の家庭やオフィスとの誤認混信を回避することができ、無線伝送システムにおける高いセキュリティの保持が可能となる。
【００３４】
さらに、多様なリモコン信号波形を認証コードとして利用することにより、ユーザは相互認証に必要な認証コードをリモコンの１つのキーの押下のみによって記憶できることから、相互認証のセキュリティを保持しつつ、さらなる簡易化を図ることができる。
【発明を実施するための最良の形態】
【００３５】
以下において、本発明の実施の形態について図面を参照して詳しく説明する。なお、図中同一符号は同一または相当部分を示す。
【００３６】
［実施の形態１］
図１は、この発明の実施の形態１に従う無線伝送機器の全体構成を示す機能ブロック図である。なお、本実施の形態では、無線伝送機器の一例として、ＡＶデータを伝送する無線伝送機器について説明する。
【００３７】
図１を参照して無線伝送機器１０は、ユーザもしくは他の無線伝送機器１０との間で赤外線信号を送受信するリモコン送受信部１と、受信した赤外線信号を変換して得られた電気信号に含まれる制御情報に応じて、機器全体を制御するＣＰＵ２と、無線伝送を行なう相手の無線伝送機器（図示せず）に無線信号を送受する無線部３およびアンテナ４とを備える。
【００３８】
無線伝送機器１０は、さらに、ＡＶデータが入力／出力されるＡＶ入出力部５と、ＡＶデータを符号化または復号化するコーデック部６と、各種プログラムを記憶するメモリ７と、後述する認証コードを不揮発的に記憶する不揮発性記憶領域８とを備える。
【００３９】
リモコン送受信部１は、図示は省略するが、ユーザの操作によってリモートコントローラ（以下、リモコンとも称する）２０から出射された赤外線信号を受信して電気信号に変換するリモコン受信部１２と、ＣＰＵ２から伝送された制御情報である電気信号を赤外線信号に変換して送信するリモコン送信部１１とを含む（ともに図示せず）。
【００４０】
ＡＶ入出力部５は、図示しないＡＶデータ信号出力端子とＡＶデータ信号入力端子とを含む。たとえば図１３に示したような使用形態において、無線伝送機器１０がＡＶデータ表示装置４０ｂ,４０ｃに接続されるときには、図示しないＡＶデータ信号出力端子は、ＡＶデータ表示装置４０ｂ,４０ｃのＡＶデータ入力端子（図示せず）にそれぞれ結合される。これにより、無線伝送機器１０のＡＶ入出力部５は、ＡＶデータ再生装置３０ａから、無線伝送機器６０ａ，６０ｂあるいは無線伝送機器６０ａ，６０ｃを介して受信したＡＶデータを対応するＡＶデータ表示装置４０ｂ,４０ｃに転送する。
【００４１】
一方、無線伝送機器１０が図１３のＡＶデータ再生装置３０ａに接続されるときには、図示しないＡＶデータ信号入力端子は、ＡＶデータ再生装置３０ａのＡＶデータ信号出力端子（図示せず）に結合される。これにより、無線伝送機器１０のＡＶ入出力部５は、ＡＶデータ再生装置３０ａにて再生されたＡＶデータを受ける。
【００４２】
不揮発性記憶領域８は、図１に示すように、ユーザがリモコン２０を用いて入力した認証コードが記録される認証コード記録領域８０を含む。不揮発性記憶領域８は、たとえばフラッシュメモリやＥＥＰＲＯＭ（Electrically Erasable Programmable Read Only Memory）などの不揮発性メモリやハードウェアで構成される。
【００４３】
ＣＰＵ２とこれらの部位とは、バス９に共通に接続される。バス９は、ＣＰＵ２から出力される制御信号や送信／受信するＡＶデータなどの各種信号を伝達する。
【００４４】
次に、図１の無線伝送機器１０にて行なわれるＡＶデータの無線伝送について説明する。図２は、２つの無線伝送機器（たとえば１０ａ，１０ｂとする）の間で行なわれるＡＶデータの無線伝送を説明するための概略図である。
【００４５】
図２を参照して、無線伝送機器１０ａは、ＡＶ入出力部５ａにおいてＡＶデータ再生装置３０ａに接続される。無線伝送機器１０ｂは、ＡＶ入出力部５ｂにおいてＡＶデータ表示装置４０ｂに接続される。
【００４６】
まず、所望のＡＶデータ表示装置４０ｂにてＡＶデータを視聴したいユーザは、リモコン２０ｂを操作し、ＡＶデータ表示装置４０ｂに接続される無線伝送機器１０ｂにＡＶデータ再生を指示する制御信号となる赤外線信号を照射する。この赤外線信号は、無線伝送機器１０ｂのリモコン受信部１２ｂにおいて受信されると、電気信号に変換される。
【００４７】
電気信号は、ＣＰＵ２ｂで解析、符号化され、さらに無線部３ｂに転送されると、制御信号となる無線信号に変換されてアンテナ４ｂから送信される。無線信号は、ＡＶデータ再生装置３０ａに接続される無線伝送機器１０ａのアンテナ４ａにて受信される。
【００４８】
次に、ＡＶデータ再生装置３０ａに接続される無線伝送機器１０ａは、アンテナ４ａで受信した無線信号を無線部３ａで無線復号し、さらにＣＰＵ２ａで赤外線波形の電気信号に復号する。復号された電気信号は、リモコン送信部１１ａに接続される赤外線発光モジュール１３ａから出力される。ＡＶデータ再生装置３０ａは、内部のリモコン受信部（図示せず）において赤外線信号を受信すると、赤外線信号による制御信号を認識し、ユーザの指示する動作を行なう。
【００４９】
ＡＶデータ再生装置３０ａは、再生したＡＶデータを当該装置に接続される無線伝送機器１０ａに送信する。無線伝送機器１０ａは、ＡＶ入出力部５ａにおいてＡＶデータを受けると、ＣＰＵ２ａの制御により、コーデック部６ａならびにメモリ７ａを介してＡＶデータを符号化する。符号化された信号は、さらに無線部３ａで無線信号に変換され、アンテナ４ａより送信される。
【００５０】
最後に、無線信号は、ＡＶデータ表示装置４０ｂに接続される無線伝送機器１０ｂのアンテナ４ｂで受信されると、無線部３ｂにおいて、前記符号化された信号に無線復号される。無線復号された信号は、さらにＣＰＵ２ｂの制御により、コーデック部６ｂならびにメモリ７ｂを介してもとのＡＶデータに復号化され、ＡＶ入出力部５ｂからＡＶデータ表示装置４０ｂに転送される。ＡＶデータ表示装置４０ｂでは、ＡＶデータの映像信号に基づいて映像が再生表示されるとともに、ＡＶデータの音声信号に基づいて音声が再生される。
【００５１】
以上のように、複数の無線伝送機器間で制御信号である赤外線信号とＡＶデータとを無線伝送することにより、ユーザはＡＶデータ再生装置を遠隔操作して所望のＡＶデータ表示装置により映像音声を視聴することができる。
【００５２】
ここで、かかる動作を誤認や混信を生ずることなく正確に行なうためには、先述のように、無線伝送を実行する無線伝送機器の間で、互いに相手を確認し合う相互認証がなされていることが必要とされる。以下に、本実施の形態に係る無線伝送機器間の相互認証方法について説明する。
【００５３】
図３は、図１の無線伝送機器における相互認証方法を原理的に説明するための概略図である。
【００５４】
図３を参照して、各家庭５０Ａ〜５０Ｃには、ＡＶデータ再生装置３０Ａ〜３０Ｃと、ＡＶデータ表示装置４０Ａ〜４０Ｃとがそれぞれ設置される。これらの装置には、それぞれ図１に示す無線伝送機器１０Ａ−１〜１０Ｃ−１，１０Ａ−２〜１０Ｃ−２が接続される。
【００５５】
ここで、相互認証に必要となる認証コードは、家庭ごとに異なるコードが設定される。認証コードの設定は、各無線伝送機器の初期設定の認証コード記録モードにおいて、それぞれ実行される。たとえば、図２に示すように、家庭５０Ａでは、無線伝送機器１０Ａ−１，１０Ａ−２に対して、認証コード「Ａ」が設定される。家庭５０Ｂでは、無線伝送機器１０Ｂ−１、１０Ｂ−２に対して、認証コード「Ｂ」が設定される。家庭５０Ｃでは、無線伝送機器１０Ｃ−１、１０Ｃ−２に対して、認証コード「Ｃ」が設定される。
【００５６】
認証コード記録モードが終了すると、実際に相互認証を行なう認証通信モードに移行する。認証通信モードでは、無線伝送機器（たとえば無線伝送機器１０Ａ−２とする）は、各無線伝送機器１０に固有な識別情報である無線部ＭＡＣ（Media Access Control address）アドレスを認証コード「Ａ」で暗号化して送信する。なお、無線部ＭＡＣアドレスとは、各機器の無線部に固定的に割り振られるアドレスであり、これによってデータの送信先、宛先が指定される。本実施の形態は、認証コードを、無線部ＭＡＣアドレスを暗号化するための鍵として用いることを特徴とする。
【００５７】
認証コード「Ａ」で暗号化された無線部ＭＡＣアドレスは、相手先のアドレスを指定しない、いわゆるオープンアドレスに対して送信される。
【００５８】
この無線部ＭＡＣアドレスを受信したその他の無線伝送機器１０の各々は、記録された認証コードを鍵として復号化を試みる。このとき、当然ながら、無線伝送機器１０Ａ−２と同一の認証コード「Ａ」が記録された無線伝送機器１０Ａ−１のみが復号化することができる。無線伝送機器１０Ａ−１は、復号化した無線部ＭＡＣアドレスを通信相手先のアドレスとして不揮発記憶領域８に記憶し、認証モードを終了する。無線伝送機器１０Ａ−１は、以降の通常の通信モードでは、このアドレスに対してＡＶデータを伝送する。
【００５９】
これに対して、認証コードが異なる家庭５０Ｂ，５０Ｃの無線伝送機器１０Ｂ−１，１０Ｂ−２，１０Ｃ−１，１０Ｃ−２においては、正常な無線部ＭＡＣアドレスが復号されることがなく、認証モードは終了する。
【００６０】
次に、図３の相互認証方法の実現するための具体的な方法について述べる。
【００６１】
本実施の形態による相互認証方法は、上記のように、認証コード記録モードと認証通信モードとの２つのモードに大別される。なお、これらのモードは、いずれも無線伝送の開始前に行なわれるものであり、たとえば無線伝送機器１０の接続時に行なわれる初期設定において併せて実行される。
【００６２】
まず、認証コード記録モードでは、無線伝送を行なう複数の無線伝送機器１０間で同一の認証コードを共有すべく、認証コードが各々の不揮発性記憶領域８内の認証コード記録領域８０に記録される。認証コードの記録は、ユーザがリモコン２０を用いて任意のコードを打ち込むことによって行なわれる。このときの任意のコードには、たとえばアルファベットと数字とを自由に組み合わせて構成される複数桁の文字列が指定される。
【００６３】
そして、ユーザは、無線伝送を行なう複数の無線伝送機器１０の各々に対して、リモコン２０を操作して同一の認証コードからなる赤外線信号を出射する。このとき、図４に示すように、複数の無線伝送機器１０を互いに近接させた状態で、ユーザがリモコン２０から認証コードからなる赤外線信号を出射する構成とすれば、１回の操作で認証コードの記録を完了することができる。
【００６４】
図５は、認証コード記録モードを説明するためのフロー図である。
【００６５】
図５に示すように、無線伝送機器１０は、初期設定時において認証コードの入力待機の状態にある（ステップＳ０２）。ユーザによる認証コードの入力を確認すると（ステップＳ０３）、当該認証コードを認証コード記録領域８０に記録する（ステップＳ０４）。記憶後は、認証コード記録モードを終了して、認証通信モードに移行する（ステップＳ０５）。なお、この認証コードの記録動作は、通常の通信モードにおいて無線伝送させたい全ての無線伝送機器１０に対して、同一の認証コードを入力することによって完了する。
【００６６】
次に、認証通信モードでは、相互認証は、記録された認証コードを鍵として各無線伝送機器１０に固有の無線部ＭＡＣアドレスを暗号化し、これを互いに送信し合うことによって行なわれる。
【００６７】
図６は、認証通信モードを説明するためのフロー図である。以下においては、同一の認証コードが記録された無線伝送機器１０（以下、機器Ａ，機器Ｂとも称する）間の相互認証について説明する。
【００６８】
まず、機器Ａ側では、無線部ＭＡＣアドレスが認証コードを鍵として暗号化される（ステップＳ１１）。暗号化されたＭＡＣアドレスは、宛先を指定しないオープンアドレスに対して送信される（ステップＳ１２）。機器Ａは、無線部ＭＡＣアドレスを送信すると、これに対する応答の受信待機状態となる（ステップＳ１３）。
【００６９】
機器Ａは、ステップＳ１３において、応答を待機するとともに、その待機時間をＣＰＵ２内のタイマ手段によって計時する（ステップＳ１４）。タイマ手段には、予め所定の待機時間が設定されており、設定した待機時間に至るまで受信待機の状態を保持する（ステップＳ１５）。この設定時間内に応答の受信がなければ、機器Ａは認証モードを終了する（ステップＳ１６）。
【００７０】
一方、ステップＳ１３において設定時間内に応答の受信が得られると（ステップＳ１７）、機器Ａの無線部３は、受信したデータを、認証コード記録領域８０に記録された認証コードを鍵として復号化する（ステップＳ１８）。復号化に成功すれば、すなわち、同一の認証コードを有する機器Ｂからの応答が確認されれば、得られた機器Ｂの無線部ＭＡＣアドレスを送信先のアドレスとして、不揮発性記憶領域８に記憶し（ステップＳ２１）、認証モードを終了する。
【００７１】
一方、ステップＳ１９において、復号化ができない場合、すなわち機器Ａと送信側の機器との認証コードが一致しない場合は、送信側の機器を認証せずに認証モードを終了する（ステップＳ２０）。
【００７２】
これに対して、機器Ｂ側では、まず、通信相手となる無線伝送機器１０から送信される無線部ＭＡＣアドレスの受信待機状態にある（ステップＳ３１）。このとき、機器Ｂにおいても、機器Ａと同様にタイマ手段によって待機時間を計時する（ステップＳ３２）。このとき、機器Ｂは、タイマ手段に予め設定されている待機時間内において待機状態を保持する。計時値が設定された待機時間を超えると（ステップＳ３３）、機器Ｂは認証モードを終了する（ステップＳ３４）。
【００７３】
ステップＳ３１において、設定時間内に他の無線伝送機器１０からの送信データが受信されると（ステップＳ３５）、機器Ｂの無線部３は、認証コード記録領域８０に記録されている認証コードを鍵として送信データを復号化する（ステップＳ３６）。復号化が成功すれば、すなわち、同一の認証コードを有する機器Ａからの応答が確認されれば、抽出した機器Ａの無線部ＭＡＣアドレスを送信先のアドレスとして、不揮発性記憶領域８に記憶する（ステップＳ３９）。
【００７４】
一方、ステップＳ３７において、復号化ができない場合、すなわち機器Ｂと送信側の機器との認証コードが一致しない場合は、送信側の機器を認証せず、認証モードを終了する（ステップＳ３８）。
【００７５】
さらに、機器Ｂは、自己の無線部ＭＡＣアドレスを認証コード記録領域８０に記録された認証コードを鍵として暗号化し（ステップＳ４０）、ステップＳ３９にて抽出した機器Ａの無線部ＭＡＣアドレスを宛先として送信して認証モードを終了する（ステップＳ４１）。機器Ｂの送信データは、先述のステップＳ１３において受信待機している機器Ａによって受信されることになる。
【００７６】
機器Ａおよび機器Ｂにおいてそれぞれ通信相手が確信されて認証モードが終了すると、以降の通常の通信モードにおいて、機器Ａと機器Ｂとの間でＡＶデータの無線伝送が実行される。
【００７７】
なお、機器Ａと機器Ｂとの間の相互認証は、実際には、無線伝送機器１０内部のＣＰＵ２によって、図５および図６に示すフロー図にしたがってソフトウェアで実行されるものである。ＣＰＵ２は、図５および図６に示すフロー図の各ステップを備えるプログラムをメモリ７から読み出して実行する。したがって、メモリ７は、図５および図６に示す認証モードの各ステップを備えるプログラムを記録したコンピュータ読取り可能な記録媒体に相当する。
【００７８】
図７は、図６における機器Ａと機器Ｂとの間で行なわれる相互認証シーケンスを示す図である。
【００７９】
図７を参照して、機器Ａには、自己に固有の無線部ＭＡＣアドレス（たとえば［１３４．１９９．１００．１］とする）が与えられている。機器Ａは、さらに、無線伝送を行なう複数の無線伝送機器の間で共通する認証コード（たとえば［０１２３］とする）が認証コード記録領域８０に記録されている。
【００８０】
機器Ａは、認証通信モードにおいて、自己の無線部ＭＡＣアドレスを認証コード［０１２３］を鍵として暗号化したデータ（たとえば［ＡｂｄｌｈＹｇＴｆｌｌｌＰｐｏ］とする）を無線部３より送信する。
【００８１】
機器Ａの送信データは、機器Ｂの無線部３にて受信されると、機器Ｂの認証コード記録領域８０に記録された認証コードを鍵として復号化される。このとき、機器Ａと機器Ｂとには、認証コード記録モードにおいて、同一の認証コード［０１２３］が既に記憶されているため、この認証コードにより復号化したデータ［１３４．１９９．１００．１］が得られる。この復号化データは、当然ながら機器Ａの無線部ＭＡＣアドレスに一致する。機器Ｂは、機器Ａを伝送相手と認証し、復号化したデータを機器Ａの無線部ＭＡＣアドレスとして不揮発性記憶領域８に記憶する。
【００８２】
続いて、機器Ｂは、機器Ａに自己を認証させるべく、機器Ｂの無線部ＭＡＣアドレス（たとえば［１３４．１９９．１８０．２５］とする）を認証コード［０１２３］を鍵として暗号化し、暗号化したデータ（たとえば［ＵｙＨｔｇｆｒＴＨＤＷｑｐｕＨ］とする）を機器Ａの無線部ＭＡＣアドレスを宛先に指定して送信する。送信後、機器Ｂは認証モードを終了する。
【００８３】
機器Ｂの送信データは、機器Ａの無線部３にて受信されると、認証コード［０１２３］を鍵として復号化される。復号化したデータ［１３４．１９９．１８０．２５］は、機器Ｂの無線部ＭＡＣアドレスとして抽出され、不揮発記憶領域８に記憶される。機器Ａは、機器Ｂを無線伝送相手と認証し、認証モードを終了する。
【００８４】
機器Ａおよび機器Ｂにおいて、それぞれ認証モードが終了すると、以降の無線伝送は、記憶している相手の無線部ＭＡＣアドレスを宛先に指定して行なわれる。
【００８５】
以上のように、この発明の実施の形態１によれば、簡易な構成により、相互認証時の他の家庭やオフィスとの誤認混信を回避することができ、無線伝送システムにおける高いセキュリティの保持が可能となる。
【００８６】
［実施の形態２］
先の実施の形態では、無線伝送を行なう無線伝送機器１０の間で共通の認証コードは、認証コード記録モードにおいて、ユーザがリモコン２０の入力によって任意の文字列を指定して記録されるものであった。このとき、リモコン２０から発せられた認証コードである赤外線信号は、図１のリモコン送受信部１内のリモコン受信部１２において電気信号に変換され、得られた電気信号から認証コードが解読されて認証コード記録領域８０に転送される。
【００８７】
ここで、リモコン受信部１２で生成される電気信号（以下、リモコン信号と称する）は、パルス信号列で構成されている。リモコン受信部１２は、最小パルス幅の複数分の１の周期でリモコン信号のレベルをサンプリングし、制御情報であるリモコン命令コードを抽出する。
【００８８】
図８は、リモコン信号の一形態を示すリモコン信号波形図である。
【００８９】
図８（ａ）を参照して、リモコン信号波形は、リモコン２０の１つのキーを押下したタイミングを先頭として９ｍＳの期間「Ｈ」が続き、その後に４．５ｍＳの期間「Ｌ」が続く。この部分は、リーダコードと呼ばれ、リモコン信号が入力されたことを意味する。
【００９０】
次に、リーダコードの後には、カスタムコードと呼ばれる１６ビットの信号が続く。１６ビットの信号は、前半８ビットと後半８ビットとからなり、後半部分は前半部分を反転して生成される。
【００９１】
カスタムビットに続いて、８ビットのデータコードと、８ビットのデータコードの反転コードとが送られる。データコードは、ユーザによって入力されるリモコン命令コードを構成する。データコードの後には、リモコン信号の終わりを示すストップビットが送られる。
【００９２】
このように、ユーザがリモコン２０のキーを１つ押下したことに応じて、図８（ａ）に示す３２ビット分の電気信号が送出されることになる。
【００９３】
ここで、リモコン信号は、パルス間隔の違いで２進数のビット”０”と”１”とを表現するパルス位置変調（ＰＰＭ：Pulse Position Modulation）方式を採用している。たとえば、図８（ｂ）に示すように、０．５６ｍＳの「Ｈ」に対する「Ｌ」の期間の長さの違いによって”０”と”１”とが表現される。図８（ａ）のリモコン信号のカスタムコードおよびデータコードは、ＰＰＭ方式で表現されたビット”０”と”１”とによって構成される。
【００９４】
この２進数のビットの表現方式には、図８（ｂ）の方式以外に、「Ｈ」の期間の長さの違いで表現する方式がある。また、その期間の長さにおいても制御対象機器の種類や製造メーカによって様々な方式が採用されている。
【００９５】
図９は、代表的な４つの方式Ａ〜Ｄのリモコン信号波形を示す図である。
【００９６】
図９を参照して、Ａ〜Ｄ方式は、それぞれ特徴を有する。たとえば、先頭のリーダコードについては、リーダコードが有るもの（Ａ〜Ｃ方式）と無いもの（Ｄ方式）とがある。さらに、リーダコードが有るものにおいても、その長さは互いに異なっている。また、カスタムコードおよびデータコードについては、各方式でパルス幅やビット数が異なっている。
【００９７】
本実施の形態は、リモコン信号が、製造メーカおよび制御対象機器の種類によって異なる信号方式が採用されていることに着目し、多様なリモコン信号波形を無線伝送機器間の相互認証における認証コードとして使用することを提案する。これによれば、ユーザは、リモコン２０の１つのキーを押下するという簡易な操作で、相互認証に必要な認証コードを記録させることができる。
【００９８】
具体的には、先の実施の形態１の図５にて説明した認証コード記録モードにおいて、ユーザは、複数桁の文字列からなる認証コードを入力する代わりに、リモコン２０の１つのキーを押下する。リモコン２０から照射された赤外線信号は、無線伝送機器１０のリモコン受信部１２において、図９に示すような信号波形の電気信号に変換される。この電気信号は、製造メーカおよび制御対象機器によって様々な信号波形を示すことから、無線伝送を行なう無線伝送機器１０間で同じリモコン２０の同じキーを入力することにより、特定の信号波形が当該無線伝送機器１０間の認証コードとして共有され、相互認証を行なうことができる。
【００９９】
なお、認証通信モードについては、先の実施の形態１の図６で説明したものと同様である。すなわち、無線伝送機器１０は、図９のリモコン信号波形を鍵として自己の無線部ＭＡＣアドレスを暗号化して互いに送信し合うことによって、通信相手の認証を行なう。
【０１００】
この発明の実施の形態２によれば、多様なリモコン信号波形を認証コードとして利用することにより、ユーザは相互認証に必要な認証コードをリモコンの１つのキーの押下のみによって記憶できることから、相互認証のセキュリティを保持しつつ、さらなる簡易化を図ることができる。
【０１０１】
［実施の形態３］
この発明によれば、無線伝送機器は、先の実施の形態１，２で述べた相互認証を行なうことにより、高いセキュリティのもとでのデータ信号の無線伝送が可能となる。無線伝送されるデータ信号には、上述したＡＶデータ以外に、無線伝送機器が接続される家電製品またはコンピュータを制御するためのプログラム信号などが含まれる。以下の実施の形態３〜５では、無線伝送システムにおける、この発明による無線伝送機器の使用形態について説明する。
【０１０２】
図１０は、この発明による無線伝送機器の使用形態の他の例を説明するための概略図である。
【０１０３】
図１０を参照して、屋内には、ＡＶデータ表示装置４０ａ（たとえばテレビとする）と、ＡＶデータ表示装置４０ａに接続されたＡＶデータ再生装置３０ａ（たとえばＤＶＤプレーヤーとする）とが設置される。また、屋内の一室には、ＡＶデータ表示装置４２ｂ（たとえばプロジェクターとする）と、照明機器７０ｃと、電動カーテン７２ｄとが設置される。
【０１０４】
そして、ＡＶデータ再生装置３０ａ，ＡＶデータ表示装置４２ｂ，照明機器７０ｃおよび電動カーテン７２ｄには、無線伝送機器１０ａ〜１０ｄがそれぞれ接続される。これらの無線伝送機器１０ａ〜１０ｄのうち、無線伝送機器１０ａ，１０ｂは、図２で説明したものと同一の構成からなる。一方、無線伝送機器１０ｃ，１０ｄは、図２のＡＶ入出力部５ａ（または５ｂ）およびコーデック部６ａ（または６ｂ）に代えて、各々が接続される照明機器７０ｃまたは電動カーテン７２ｄを制御するための機器制御部１４ｃ，１４ｄをそれぞれ含む。
【０１０５】
このような構成において、無線伝送機器１０ａ〜１０ｄは、データ信号の無線伝送を行なうに先立って、実施の形態１または実施の形態２で述べた方法に従って、相互認証を実行する。具体的には、ユーザは、初期設定の認証コード記録モードにおいて、同一の認証コードを無線伝送機器１０ａ〜１０ｄの認証コード記録領域８０ａ〜８０ｄにそれぞれ記録する。そして、認証通信モードにおいては、相互認証は、記録された認証モードを鍵として各無線伝送機器１０ａ〜１０ｄに固有の無線部ＭＡＣアドレスを暗号化し、これを互いに送信し合うことによって行なわれる。
【０１０６】
次に、認証モードが完了して通常の通信モードに移行すると、所望のＡＶデータ表示装置４２ｂでＡＶデータを視聴したいユーザは、リモコン２０ｂを操作し、ＡＶデータ表示装置４２ｂに接続される無線伝送機器１０ｂにＡＶデータ再生を指示する制御信号となる赤外線信号を照射する。この赤外線信号は、図２で説明したのと同様に、無線信号に変換されてアンテナ４ｂから出力されると、無線伝送機器１０ａにて受信される。無線伝送機器１０ａは、無線信号を赤外線信号に変換して、赤外線発光モジュール１３ａから出力する。ＡＶデータ再生装置３０ａは、赤外線信号を受信すると、赤外線信号による制御信号を認識し、制御信号に応じてＡＶデータを再生する。
【０１０７】
ＡＶデータ再生装置３０ａにおいて再生されたＡＶデータは、無線伝送機器１０ａによって無線信号に変換されて無線伝送機器１０ｂ〜１０ｄにそれぞれ伝送される。
【０１０８】
そして、伝送された無線信号は、無線伝送機器１０ｂ〜１０ｄにより受信される。無線伝送機器１０ｂは、無線信号を受信すると、コーデック部６ｂならびにメモリ７ｂを介して元のＡＶデータに復号化し、ＡＶ入出力部５ｂからＡＶデータ表示装置４２ｂに転送する。これにより、ＡＶデータ表示装置４２ｂでは、ＡＶデータに基づいて映像および音声が再生される。
【０１０９】
また、無線信号が無線伝送機器１０ｃによって受信されると、無線伝送機器１０ｃ内部のＣＰＵ２ｃは、機器制御部１４ｃに対して、室内の照度の低下を指示する制御信号を出力する。機器制御部１４ｃは、制御信号を受けると、照明機器７０ｃの照度を落とす、あるいは照明機器７０ｃを消灯することにより、室内の照度が指示された照度となるように照明機器７０ｃを制御する。
【０１１０】
さらに、無線信号が無線伝送機器１０ｄによって受信されると、無線伝送機器１０ｄ内部のＣＰＵ２ｄは、機器制御部１４ｄに対して、電動カーテン７２ｄの閉動作を指示する制御信号を出力する。機器制御部１４ｄは、制御信号を受けると、電動カーテン７２ｄが
ＣＰＵ２ｄは、機器制御部１４ｄへ出力する。機器制御部１４ｄは、制御信号を受けると、閉動作を行なうように電動カーテン７２ｄを制御する。
【０１１１】
以上のような構成とすることにより、無線信号を受信した無線伝送機器１０ｂ〜１０ｃによって、ＡＶデータがＡＶデータ表示装置７２ｄから再生されるとともに、室内の照度が下げられる。その結果、ユーザは、ＡＶデータ表示装置４２ｂに対するリモコン２０ｂの１回の操作で、ＡＶデータの再生とともに、ＡＶデータの視聴に適した環境を構築することが可能となる。
【０１１２】
なお、図１０では、無線伝送機器１０ａ〜１０ｄを、ＡＶデータ再生装置３０ａ、ＡＶデータ表示装置４２ｂ、照明機器７０ｃおよび電動カーテン７２ｄにそれぞれ接続される構成としたが、対応する装置に内蔵される構成としても良い。この場合、無線伝送機器１０ａ，１０ｂに含まれるＡＶ入出力部５ａ，５ｂおよびコーデック部６ａ，６ｂは、ＡＶデータ再生装置３０ａおよびＡＶデータ表示装置４２ｂに含まれる対応する部品が共用される。また、無線伝送機器１０ｃ，１０ｄに含まれる機器制御部１４ｃ，１４ｄは、照明機器７０ｃおよび電動カーテン７２ｄに含まれる制御部（図示せず）が共用される。
【０１１３】
［実施の形態４］
図１１は、この発明による無線伝送機器の使用形態の他の例を説明するための概略図である。
【０１１４】
図１１を参照して、屋内には、ＡＶデータ表示装置４０ａ（たとえばテレビとする）と、ＡＶデータ表示装置４０ａに接続されたＡＶデータ再生装置３０ａ（たとえばＤＶＤプレーヤーとする）とが設置される。また、屋内の一室には、ＡＶデータ表示装置４２ｂ（たとえばプロジェクターとする）と、通信機器（たとえば電話機７４ｅとする）とが設置される。
【０１１５】
そして、ＡＶデータ再生装置３０ａ，ＡＶ表示装置４２ｂおよび電話機７４ｅには、無線伝送機器１０ａ，１０ｂおよび１０ｅがそれぞれ接続される。これらの無線伝送機器１０ａ，１０ｂおよび１０ｅのうち、無線伝送機器１０ａ，１０ｂは、図１０の無線伝送機器１０ａ，１０ｂと同じである。一方、無線伝送機器１０ｅは、ＡＶ入出力部５ａ（または５ｂ）およびコーデック部６ａ（または６ｂ）に代えて、接続される電話機７２ｅを制御するための機器制御部１４ｅを含む。
【０１１６】
このような構成において、無線伝送機器１０ａ，１０ｂおよび１０ｅは、データ信号の無線伝送を行なうに先立って、実施の形態１または実施の形態２で述べた方法に従って、相互認証を実行する。すなわち、無線伝送機器１０ａ，１０ｂおよび１０ｅは、それぞれの認証コード記録領域８０ａ，８０ｂおよび８０ｅに記録された同一の認証コードを鍵として自己の無線部ＭＡＣアドレスを暗号化し、これを互いに送信し合うことによって、相互認証を行なう。
【０１１７】
次に、認証モードが完了して通常の通信モードに移行すると、所望のＡＶデータ表示装置４２ｂでＡＶデータを視聴したいユーザは、リモコン２０ｂを操作し、ＡＶデータ表示装置４２ｂに接続される無線伝送機器１０ｂにＡＶデータ再生を指示する制御信号となる赤外線信号を照射する。この赤外線信号は、図１０で説明したのと同様に、無線信号に変換されてアンテナ４ｂから出力されると、無線伝送機器１０ａにて受信される。無線伝送機器１０ａは、無線信号を赤外線信号に変換して、赤外線発光モジュール１３ａから出力する。ＡＶデータ再生装置３０ａは、赤外線信号を受信すると、赤外線信号による制御信号を認識し、制御信号に応じてＡＶデータを再生する。
【０１１８】
ＡＶデータ再生装置３０ａにおいて再生されたＡＶデータは、無線伝送機器１０ａによって無線信号に変換されて無線伝送機器１０ｂ，１０ｅにそれぞれ伝送される。
【０１１９】
そして、無線伝送機器１０ｂは、無線信号を受信すると、コーデック部６ｂならびにメモリ７ｂを介して元のＡＶデータに復号化し、ＡＶ入出力部５ｂからＡＶデータ表示装置４２ｂに転送する。これにより、ＡＶデータ表示装置４２ｂでは、ＡＶデータに基づいて映像および音声が再生される。
【０１２０】
また、無線信号が無線伝送機器１０ｅによって受信されると、無線伝送機器１０ｅ内部のＣＰＵ２ｅは、機器制御部１４ｅに対して、着信を通知する手段の設定変更を指示する制御信号を出力する。機器制御部１４ｅは、制御信号を受けると、呼出し音の音量を下げる、もしくは、着信を呼出し音で指示するモードからボタン等の点灯で指示するモードへと変更するように、電話機７４ｅを制御する。
【０１２１】
以上の構成とすることにより、無線信号を受信した無線伝送機器１０ｂ，１０ｅによって、ＡＶデータがＡＶデータ表示装置７２ｄから再生されるとともに、電話機７４ｅの発する音によって視聴が妨害されるのが回避される。その結果、ユーザは、ＡＶデータ表示装置４２ｂに対するリモコン２０ｂの１回の操作で、ＡＶデータの再生とともに、ＡＶデータの視聴に適した環境を構築することが可能となる。
【０１２２】
［実施の形態５］
図１２は、この発明による無線伝送機器の使用形態の他の例を説明するための概略図である。
【０１２３】
図１２を参照して、屋内の一室には、空調機器９０ｆ（たとえばエアコンディショナとする）と、空調機器９０ｇ（たとえば扇風機とする）とが設置される。
【０１２４】
そして、空調機器９０ｆ，９０ｇには、無線伝送機器１０ｆ，１０ｇがそれぞれ接続される。無線伝送機器１０ｆ，１０ｇは、図１０の無線伝送機器１０ａのＡＶ入出力部５ａおよびコーデック部６ａを、各々が接続される空調機器９０ｆ，９０ｇを制御するための機器制御部１４ｆ，１４ｇに代えたものである。
【０１２５】
機器制御部１４ｆ，１４ｇは、図１２に示すように、空調機器９０ｆ，９０ｇに取り付けられた温度センサ１６ｆ，１６ｇに接続される。温度センサ１６ｆ，１６ｇは、空調機器９０ｆ，９０ｇが設置される場所の周辺の気温を検出して、その検出した気温を機器制御部９０ｆ，９０ｇへそれぞれ出力する。そして、機器制御部１４ｆは、温度センサ１６ｆから空調機器９０ｆの周辺の気温Ｔａｃを受けると、その気温ＴａｃをＣＰＵ２ｆへ出力する。また、機器制御部１４ｇは、温度センサ１６ｇから空調機器９０ｇの周辺の気温Ｔｆを受けると、その気温ＴｆをＣＰＵ２ｇへ出力する。
【０１２６】
このような構成において、無線伝送機器１０ｆ，１０ｇは、データ信号の無線伝送を行なうに先立って、実施の形態１および２で述べた方法に従って、相互認証を実行する。すなわち、無線伝送機器１０ｆ，１０ｇは、それぞれの認証コード記録領域８０ｇ，８０ｆに記録された同一の認証コードを鍵として自己の無線部ＭＡＣアドレスを暗号化し、これを互いに送信し合うことによって、相互認証を行なう。
【０１２７】
次に、認証モードが完了して通常の通信モードに移行すると、ユーザは、リモコン２０ｆを操作し、空調機器９０ｆに接続される無線伝送機器１０ｆに空調機器９０ｆの作動を指示する制御信号となる赤外線信号を照射する。この赤外線信号は、ＣＰＵ２ｆおよび無線部３ｆを介して無線信号に変換され、アンテナ４ｆから出力される。さらに、ＣＰＵ２ｆは、機器制御部１４ｆから受けた気温Ｔａｃを、無線部３ｆを介して無線信号に変換して出力する。
【０１２８】
そして、無線信号に変換された制御信号および気温Ｔａｃは、無線伝送機器１０ｇにて受信される。無線信号が無線伝送機器１０ｇによって受信されると、ＣＰＵ２ｇは、無線信号に含まれる気温Ｔａｃと、機器制御部１４ｇから受けた気温Ｔｆとの温度差を検出する。そして、ＣＰＵ２ｇは、検出した温度差に基づいて、空調機器を作動させるか否かを判定する。このとき、ＣＰＵ２ｇは、温度差が所定値以上であれば、空調機器９０ｇを作動させる制御信号を機器制御部１４ｇへ出力する。機器制御部１４ｇは、制御信号に応じて空調機器９０ｇを作動させる。その結果、空調機器９０ｇからの送風によって室内の気温が一様化される。やがて、温度差が所定値よりも下回ると、ＣＰＵ２ｇは、空調機器９０ｇを停止させる制御信号を機器制御部１４ｇへ出力する。機器制御部１４ｇは、制御信号に応じて空調機器９０ｇを停止させる。
【０１２９】
以上の構成とすることにより、無線信号を受信した無線伝送機器１０ｇによって、空調機器９０ｇが自動的に作動／停止する。その結果、ユーザは、空調機器９０ｆに対するリモコン２０ｆの１回の操作で、快適な室内の環境を構築することが可能となる。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３１】
【図１】この発明の実施の形態１に従う無線伝送機器の全体構成を示す機能ブロック図である。
【図２】２つの無線伝送機器の間で行なわれるＡＶデータの無線伝送を説明するための概略図である。
【図３】図１の無線伝送機器における相互認証方法を原理的に説明するための概略図である。
【図４】この発明による認証コード記録動作の一例を説明するための概略図である。
【図５】認証コード記録モードを説明するためのフロー図である。
【図６】認証通信モードを説明するためのフロー図である。
【図７】図５における機器Ａと機器Ｂとの間で行なわれる相互認証シーケンスを示す図である。
【図８】リモコン信号の一形態を示すリモコン信号波形図である。
【図９】代表的な４つの方式Ａ〜Ｄのリモコン信号波形を示す図である。
【図１０】この発明による無線伝送機器の使用形態の他の例を説明するための概略図である。
【図１１】この発明による無線伝送機器の使用形態の他の例を説明するための概略図である。
【図１２】この発明による無線伝送機器の使用形態の他の例を説明するための概略図である。
【図１３】無線伝送機器の使用形態の一例を説明するための概略図である。
【図１４】特許文献１に記載の相互認証方式を説明するための構成図である。
【符号の説明】
【０１３２】
１  リモコン送受信部、２，２ａ〜２ｇ  ＣＰＵ、３，３ａ〜３ｇ  無線部、４，４ａ〜４ｇ  アンテナ、５，５ａ，５ｂ  ＡＶ入出力部、６，６ａ，６ｂ  コーデック部、７，７ａ〜７ｇ  メモリ、８，８ａ〜８ｇ  不揮発性記憶領域、９，９ａ〜９ｇ  バス、１０，１０Ａ−１，１０Ａ−２，１０Ｂ−１，１０Ｂ−２，１０Ｃ−１，１０Ｃ−２，１０ａ〜１０ｇ，６０ａ〜６０ｃ  無線伝送機器、１１ａ〜１１ｇ  リモコン送信部、１２ａ〜１２１ｇ  リモコン受信部、１３ａ  赤外線発光モジュール、２０，２０ｂ，２０ｆ  リモコン、３０，３０ａ，３０Ａ〜３０Ｃ  ＡＶデータ再生装置、４０，４０ａ〜４０ｃ，４０Ａ〜４０Ｃ，４２ｂ  ＡＶデータ表示装置、５０，５０Ａ〜５０Ｃ  家庭、７０ｃ  照明機器、７２ｄ  電動カーテン、７４ｅ  通信機器、８０，８０ａ〜８０ｇ  認証コード記録領域、９０ｇ，９０ｆ  空調機器、１００  情報担体、１０１  第１の記憶手段、１０２  第２の記憶手段、１０３  第１の復号化手段、１０４  結合手段、１０５  第１の暗号化手段、１０６  乱数生成手段、１０７  第１の比較手段、１０８  第１の伝送手段、１１０  情報処理装置、１１１  第３の記憶手段、１１２  データ処理手段、１１３  第２の暗号化手段、１１４  分離手段、１１５  第２の復号化手段、１１６  鍵生成手段、１１７  第２の比較手段、１１８  第２の伝送手段。
【図１】
2005318527.tif 000003
【図２】
2005318527.tif 000004
【図３】
2005318527.tif 000005
【図４】
2005318527.tif 000006
【図５】
2005318527.tif 000007
【図６】
2005318527.tif 000008
【図７】
2005318527.tif 000009
【図８】
2005318527.tif 000010
【図９】
2005318527.tif 000011
【図１０】
2005318527.tif 000012
【図１１】
2005318527.tif 000013
【図１２】
2005318527.tif 000014
【図１３】
2005318527.tif 000015
【図１４】
2005318527.tif 000016